(57)【要約】  ランプ駆動回路（４００）であって、フィードバック回路を備え、放電ランプ（Ｌａ）、例えば、分子放射ランプなどの誘電結合された放電ランプの安定な動作を制御し、放電ランプ（Ｌａ）の光の出力レベルを制御する。特に、放電ランプ（Ｌａ）を薄暗い光出力レベルにて動作させるならば、光出力は、ランプ電圧（ＶLa）の変化に対して敏感であり、フリッカーを生ずる可能性がある。ランプの動作を安定して制御し、フリッカーを防ぐために、高速フィードバック回路が設けられ、動作周波数を制御する。光出力レベルを制御する際に比較的広い減光範囲を提供するために、低速フィードバック回路は、ＤＣ供給電圧レベル（ＶDC）を制御するために設けられる。【選択図】図４
2010503171.tif 000002
【特許請求の範囲】
【請求項１】
設定ランプ電力にて放電ランプを動作させるランプ駆動回路であって、
ＤＣ供給電圧を発生するＤＣ供給電圧回路と、
放電ランプにＡＣ電流を供給する出力回路であって、前記ＤＣ供給電圧から動作周波数のＡＣ電流を発生させるインバータ回路を備えた、上記出力回路と、
フィードバック回路と、を備え、
前記フィードバック回路が、
実ランプ電力を決定する実ランプ電力検出回路と、
前記インバータ回路に接続され、決定された前記実ランプ電力と前記設定ランプ電力との間の電力差に応じて、安定したランプの動作を維持するように前記ＡＣ電流の動作周波数を制御する高速フィードバック回路と、
前記ＤＣ供給電圧回路に接続され、決定された前記実ランプ電力と前記設定ランプ電力との間の電力差に応じて、前記実ランプ電力を制御するために前記ＤＣ供給電圧を制御する低速フィードバック回路と、
を備えたことを特徴とするランプ駆動回路。
【請求項２】
前記実ランプ電力検出回路は、前記インバータ回路を流れるインバータ電流を決定するための、前記インバータ回路に直列に接続された抵抗器を備え、前記インバータ電流は、前記実ランプ電力を前記ＤＣ供給電圧で除した値と実質的に等しい、請求項１に記載のランプ駆動回路。
【請求項３】
前記高速フィードバック回路は、前記電力差を表す電圧信号を受け、前記電力差を適した動作周波数に変換するように構成された電圧制御発振器ＶＣＯを備えた、請求項１に記載のランプ駆動回路。
【請求項４】
前記インバータ回路はブリッジ接続形態の少なくとも２つのスイッチング要素を備え、前記ランプ駆動回路は前記スイッチング要素のスイッチングを制御するインバータ駆動回路をさらに備え、前記インバータ駆動回路は、前記ＶＣＯの出力に接続されている、請求項３に記載のランプ駆動回路。
【請求項５】
前記低速フィードバック回路が、
設定周波数を受けるように構成され、
前記動作周波数を受けるために、前記ＶＣＯの出力に接続され、
前記動作周波数と前記設定周波数との間の周波数差に応じて、前記ＤＣ供給電圧を制御するように構成され、前記高速フィードバック回路が、応答して、前記動作周波数を前記設定周波数に向けて調整するように構成されている、請求項４に記載のランプ駆動回路。
【請求項６】
前記低速フィードバック回路が、設定周波数を受け、前記動作周波数を決定し、及び、前記動作周波数と前記設定周波数との間の差に応じて前記ＤＣ供給電圧を制御するように構成され、前記高速フィードバック回路は、応答して、前記動作周波数を前記設定周波数に向けて調整するように構成されている、請求項１に記載のランプ駆動回路。
【請求項７】
設定ランプ電力で放電ランプを動作させる方法であって、
ＤＣ電圧を発生させるステップと、
前記ＤＣ電圧から動作周波数のＡＣ電流を発生させるステップと、
ＡＣ電流を放電ランプに供給するステップと、
実ランプ電力を決定するステップと、
決定された前記実ランプ電力と前記設定ランプ電力との間の差に応じて、前記ＡＣ電流の周波数を制御して、安定した動作を維持するステップと、
決定された前記実ランプ電力と前記設定ランプ電力とに応じて、前記ＤＣ電圧を制御して、前記実ランプ電力を制御するステップと、
を備えていることを特徴とする方法。
【請求項８】
前記ＤＣ電圧は、前記動作周波数と所定の周波数との間の差に応じて制御される、請求項７に記載の方法。
【発明の詳細な説明】
【技術分野】
【０００１】
本発明は、ランプ駆動回路、及び放電ランプの駆動方法に関する。特に、本発明は、ランプ電圧の関数として急峻なインピーダンス変化を示す放電ランプを駆動するために採用するのに適している。
【背景技術】
【０００２】
開ループランプ駆動回路を用いて、放電ランプを動作させることは、当分野で知られている。ランプ駆動回路は、ランプを駆動するために適当なＡＣ電流を発生するインバータ回路を備えている。そうした開ループの駆動回路は、出力パワーに関し、製造中に較正される。
【０００３】
公知の放電ランプ（例えば、分子放射ランプなどの誘電結合放電ランプ）は、出力パワーとランプ端子間電圧との間に急峻な関係を呈する。ランプ電圧はとりわけ供給ＡＣ電流の周波数に依存し、よって、出力パワーは供給ＡＣ電流の周波数に依存する。さらに、始動中には、ランプのインピーダンスは急峻な変化を呈する。従って、開ループランプ駆動回路がランプの安定動作を確保できないので、開ループランプ駆動回路は、そうした放電ランプを駆動するのに適していないと言える。
【０００４】
さらに、始動中と安定状態動作中には、ランプパワーを制御することが望ましい。前述の急峻な関係により、開ループランプ駆動回路は出力パワーを調整するのには適していない。
【０００５】
フィードバック回路、従って、放電ランプ駆動用の閉ループランプ駆動回路が知られている。例えば、ＡＣ電流の周波数は、実ランプパワーに応じて制御される。しかしながら、ＥＭＩ規制により制御用の周波数範囲が限定されるので、特に始動中及び減光中には、安定性の制御とパワー調整の両方が可能とならない。
【０００６】
別の可能性は、ＡＣ電流をインバータ回路で発生させるためのＤＣ電圧を制御することである。しかしながら、ＤＣ電圧バスのエネルギーバッファリングのための比較的大きいキャパシタンスの存在により、そうした制御システムは比較的低速であり、一方、安定性制御には比較的高速の制御が求められる。
【発明の概要】
【発明が解決しようとする課題】
【０００７】
急峻なインピーダンス変化を呈する放電ランプを動作させるための方法及び回路であって、比較的広い範囲にわたって、安定性の制御及び電力の制御の両方に適しているような方法及び回路を提供することが望ましい。
【課題を解決するための手段】
【０００８】
上記目的は、請求項１によるランプ駆動回路、及び、請求項７による放電ランプの動作方法によって達成される。
【０００９】
本発明によれば、高速フィードバック回路部分と、低速フィードバック回路部分とを備えたフィードバック回路が提供される。決定された実ランプ電力と、設定ランプ電力（すなわち、所定の又は選択されたランプパワー）との間の差に応じて、周波数とＤＣ電圧の両方が制御される。周波数は比較的短時間のうちに調整できるので、動作中の安定性を維持するために周波数が制御される。比較的広いパワー範囲で放電ランプが動作することを可能とするために、ＤＣ電圧が調整される。
【００１０】
ひとつの実施形態においては、実ランプ電力検出回路が、ランプ駆動回路のインバータ回路に接続された抵抗器を備えている。インバータ回路を通って流れるインバータ電流は、実ランプ電力のための測定値として採用することができる。なぜなら、インバータ電流は、実ランプ電力に比例し、特に、インバータ電流は、実ランプ電力をＤＣ供給電圧で割った値と実質的に等しいからである。
【００１１】
ひとつの実施形態においては、高速フィードバック回路が、電力差を表す電圧信号を受けてこの電力差を適当な動作周波数に変換するように構成された電圧制御発振器（ＶＣＯ）を備えている。
【００１２】
ひとつの実施形態においては、低速フィードバック回路が、設定周波数（すなわち、予め決定された又は選択された周波数）を受けるように構成される。さらに、低速フィードバック回路は、動作周波数を決定し、動作周波数と設定周波数との間の周波数差に応じて、ＤＣ供給電圧を制御するように構成される。応答により、高速フィードバック回路は、動作周波数を設定周波数に向けて調整する。従って、粗・微制御方法が得られ、これにより、高速フィードバック回路と低速フィードバック回路との間の干渉は防止される。高速フィードバック回路の帯域幅は、低速フィードバック回路の帯域幅に比べて実質的に大きいので、高速フィードバック回路は、低速フィードバック回路のＤＣ供給電圧変化を追尾する。従って、高速フィードバック回路は、低速フィードバック回路に対して優位である。
【００１３】
以下、本発明について、添付図面に示した非限定的な実施形態を参照して説明する。
【図面の簡単な説明】
【００１４】
【図１】放電ランプのランプ電圧とランプパワーの関係を示すグラフである。
【図２Ａ】放電ランプのランプ電流周波数とランプパワーの関係を示すグラフである。
【図２Ｂ】放電ランプのランプ電流周波数とランプ電圧の関係を示すグラフである。
【図３】高速フィードバック回路を備えたランプ駆動回路の実施形態を示す図である。
【図４】本発明の実施形態によるランプ駆動回路を示す図である。
【図５】ランプ電流周波数と、ランプパワーと、ＤＣ供給電圧の関係を示すグラフである。
【図６】本発明によるランプ駆動回路で使用される高速フィードバック回路部分を示す図である。
【図７】イグニション中におけるランプ電流周波数とランプ電圧の関係を示すグラフである。
【図８】本発明の実施形態によるランプ駆動回路を示す図である。
【発明を実施するための形態】
【００１５】
以下、対応する要素には同一の参照符号を付することにする。
【００１６】
図１は、放電ランプ（特に、分子放射ランプなどの誘電結合放電ランプ）のランプ電圧Ｖ（横軸）とランプ電力Ｐ（縦軸）の関係を示した図である。ランプ電圧Ｖは、ランプ動作中におけるランプ端子間の電圧である。ランプ電力レベルＡのとき、曲線が実質的に平坦であることから、ランプ電圧Ｖは、ランプ電力Ｐに直接影響を与えることなく変化する。従って、放電ランプは、出力レベルＡにおいて、安定して動作する。
【００１７】
放電ランプを異なる出力レベル（例えば、電力レベルＢ）で動作させる場合、ランプ電圧Ｖとランプ電力Ｐとの間の急峻な変化の関係に起因して、安定動作を維持するため、ランプ駆動回路にフィードバック回路が必要になる。
【００１８】
当業者に知られているように、フィードバック回路は、ランプに供給されるＡＣ電流の周波数を制御する。図２Ａは、ＡＣランプ電流の周波数（横軸）と、ランプ電力（縦軸）との関係を示したグラフである。図示の曲線から明らかなように、最大ランプ電力は、約２．９ＭＨｚの電流周波数において得られる。図２Ｂは、ＡＣランプ電流の周波数（横軸）と、ランプ電圧（縦軸）との関係を示したグラフである。図２Ｂに示した曲線は、図２Ａに示した曲線と実質的に等しく、最大ランプ電圧が、約２．９ＭＨｚのランプ電流周波数において得られる。
【００１９】
図３は、実施形態によるランプ駆動回路１００であって、ランプ電流の周波数を制御するための適したフィードバック回路を備えている。ランプ駆動回路は、ランプＬａに接続されている。インバータ回路は、ハーフブリッジ接続形態に接続されたスイッチング要素Ｓ１及びＳ２を備えている。インダクタＬ１及びコンデンサＣ１が、インバータ回路の出力ノードに接続されている。インバータ回路、インダクタＬ１、及びコンデンサＣ１は、ランプＬａに供給するのに適したＡＣランプ電流を発生するように動作する。この回路は模式的に図示しており、実際にはさらに別の要素及び接続部を備えることに留意されたい。
【００２０】
インバータ回路、特に、２つのスイッチング要素Ｓ１及びＳ２は、インバータ駆動回路１０８に接続されている。この駆動回路１０８は、タイミング発生器１０６に接続されている。インバータ駆動回路１０８は、レベルシフタ１１０と、オンオフ制御回路とを備えている。タイミング発生器１０６とインバータ駆動回路とは、インバータ回路のスイッチング要素Ｓ１，Ｓ２のオンオフのスイッチングを制御するのに適した制御信号を発生するように動作する。
【００２１】
タイミング発生器１０６は、電圧制御発振器（ＶＣＯ）に接続されている。このＶＣＯは、第１のＰＩ制御装置１０２に接続されている。この第１のＰＩ制御装置１０２は、比較器１１８に接続されている。この比較器１１８はさらに、電力設定要素１１６に接続されている。この電力設定要素１１６は、設定ランプ電力（すなわち、予め決定された又はユーザが選択したランプ出力レベル）に応じて、比較器１１８に設定ランプ電力信号を供給する。
【００２２】
比較器１１８はさらに、実ランプ電力の指標となる実ランプ電力信号を受ける。図３の実施形態において、抵抗器Ｒ１がインバータ回路に直列に接続され、インバータを通って流れるインバータ電流が、同じく、この抵抗器Ｒ１を流れる。従って、抵抗器Ｒ１の端子に、抵抗器電圧が発生する。インバータ電流は実ランプ電力に比例するので、抵抗器電圧は実ランプ電力に比例する。特に、インバータ電流は、ランプ電力を、インバータ回路に供給されたＤＣ供給電圧ＶDCで割った値と実質的に等しい。ローパスフィルタ回路１１４によって濾過された後の抵抗器電圧が、比較器１１８に供給される。
【００２３】
動作中、設定電力レベルが、比較器１１８を介して、第１のＰＩ制御装置１０２とＶＣＯ１０４に供給される。ＶＣＯ１０４は、適した動作周波数信号を発生し、これが、タイミング発生器１０６及びインバータ駆動回路１０８に供給される。これに応答して、インバータ駆動回路１０８は、スイッチング要素Ｓ１，Ｓ２に供給するオンオフスイッチング信号を発生する。これは、ＶＣＯ１０４により発生された動作周波数信号に対応する動作周波数で、導通及び不導通を交互に切り替える。この周波数に応じて、ＡＣランプ電流が発生して、ランプＬａに供給される。
【００２４】
ランプＬａによって消費される電力は、実ランプ電力検出回路としての抵抗器Ｒ１を用いて決定される。決定された実ランプ電力の信号は、比較器１１８に供給される。ここで、比較器１１８は、実ランプ電力と設定ランプ電力の間の電力差を表す電力差信号を、第１のＰＩ制御装置１０２に供給する。この電力差信号に応じて、ＰＩ制御装置は、ＶＣＯ１０４に提供する信号を調整し、ＶＣＯは、これに応答して、動作周波数信号を調整する。結局、ＡＣランプ電流の周波数は、インバータ回路によって調整され、それにより、実ランプ電力が図２Ａに示すように変化する。従って、実ランプ電力は、設定ランプ電力に実質的に等しくなるように制御される。
【００２５】
再び、図２Ａを参照すると、ＥＭＩ規制のために、ＡＣ電流周波数は、特定の範囲内、特に２．２〜３．０ＭＨｚの範囲内にあることが要求される。図２Ａから明らかなように、その結果、実ランプ電力の制御範囲が、特に約５０〜約８５Ｗの対応する範囲に限定される。そうした制御範囲は充分には広くなく、特に、放電ランプの始動段階中に適した制御を行うには充分広くない。というのは、始動中には少なくとも５０％の電力ブーストが要求されるからである。
【００２６】
適当な出力制御範囲を達成するために、比較的遅い、すなわち、低速フィードバックループが、図４に示すように追加される。図４の実施形態では、高速フィードバック回路１００が、さらに低速フィードバック回路２００に設けられている。図４では、高速フィードバック回路の要素は、電力設定要素１１６、比較器１１８、第１のＰＩ制御装置１０２、ＶＣＯ１０４、及びローパスフィルタ１１４である。タイミング発生器、インバータ駆動回路、インバータ回路、インダクタ、及びコンデンサが、単一の駆動回路要素１２０として図示されている。
【００２７】
低速フィードバック回路２００は、周波数設定要素２０２と、比較器２０４とを備えている。周波数設定要素２０２は、設定周波数（すなわち、予め決定された又はユーザが選択したランプ電流周波数）に応じて、比較器２０４に設定周波数信号を供給する。比較器２０４は、さらに、実動作周波数を表す動作周波数信号を受けるためＶＣＯ１０４の出力に接続されている。比較器２０４は、設定周波数と動作周波数との差を表す周波数差信号を出力する。この差は、第２のＰＩ制御装置２０６に供給される。この第２のＰＩ制御装置２０６の出力は、ＤＣ供給電圧発生器２０８に供給される。このＤＣ供給電圧発生器２０８には、さらにＡＣ供給電圧（例えば、商用幹線交流電圧）が供給される。しかしながら、ＤＣ供給電圧発生器２０８は、同様に、別のＤＣ電圧を供給され、このＤＣ電圧を第２のＰＩ制御装置２０６の出力に対応した適当なＤＣ供給電圧に変換してもよい。発生されたＤＣ供給電圧は、ＡＣランプ電流を発生させるために、ランプ駆動回路要素１２０に供給される。
【００２８】
図４に示したランプ駆動回路の動作を、図５を参照して説明する。図５は、図２Ａに示したような、ランプ電流周波数とランプ電力の関係を示している。図５では、多数の曲線が示されている。各曲線がＤＣ供給電圧レベルを表している。さらに、最小周波数ｆminと最大周波数ｆmaxが示されている。最小周波数ｆminと最大周波数ｆmaxは、ＥＭＩ規制に従って選択されている。最小周波数ｆminは２．４ＭＨｚに選択され、最大周波数ｆmaxは２．８ＭＨｚに選択されている。さらに、設定周波数が２．６ＭＨｚに選択されている。当業者が理解するように、これらの周波数は異なるように選択できることに留意されたい。
【００２９】
図５では、ランプは定常状態モードで動作すると仮定されている。例えば、ランプは、当初には、所望の２．６ＭＨｚ及び約４２Ｗにて動作する。そして、ＤＣ供給電圧は電圧レベルＶ1に等しい。
【００３０】
次に、図４及び図５を参照し、設定電力が、例えば５５Ｗに増加した場合、設定電力と実電力の間に差が生じ、対応する信号が比較器１１８によって発生される。これに応じて、ＶＣＯ１０４は、矢印３００で示すように、動作周波数を最大周波数ｆmax（すなわち２．８ＭＨｚ）まで上昇させる。ここで、動作周波数が設定周波数２．６ＭＨｚから逸脱するので、比較器２０４は、対応する信号を第２のＰＩ制御装置２０６及びＤＣ供給電圧回路２０８に供給し、矢印３０２に示すように、電圧レベルＶ1から、最終的に電圧レベルＶ2へとＤＣ供給電圧を増加させる。次に、実電力（６０Ｗ）が設定出力（５５Ｗ）を上回るので、ＶＣＯ１０４は、矢印３０４に示すように、実電力が設定電圧５５Ｗに等しくなるように、動作周波数を引き下げる。しかしながら、動作周波数（約２．７ＭＨｚ）では、設定周波数（２．６ＭＨｚ）よりも依然として高いので、ＤＣ供給電圧は、矢印３０６に示すように、さらに電圧レベルＶ3まで増大される。このような実電力の増加に起因して、高速フィードバック回路は、矢印３０８に示すように、動作周波数を再び引き下げ、これにより、ＡＣランプ電流２．６ＭＨｚで所望の実ランプ電力設定５５Ｗに到達する。
【００３１】
最大周波数ｆmaxは、最大電力周波数、すなわち、最大出力を提供する周波数（図５において、ｆ＝約２．９ＭＨｚ）よりも低く選択されることに留意されたい。最大電力周波数での、例えば製造公差及び変動に起因して、動作周波数は、実最大電力周波数よりも高く制御される。そうした場合、図２Ａ及び図５から明らかなように、ランプ電力が増加しないと制御ループは不安定になるが、ランプ電力は動作周波数の増加と共に減少する。従って、制御ループは、極性を切り替え、１８０゜シフトして、不安定になる。
【００３２】
図６は、本発明によるランプ駆動回路で使用される高速フィードバック回路の部分を示している。特に、図６は、電力設定要素１１６、比較器１１８、第１のＰＩ制御装置１０２、及びＶＣＯ１０４を備えた回路部分を図示している。さらに、比較器１１８と第１のＰＩ制御装置と接地端子との間には、第１のスイッチ１２６が接続されている。第１のＰＩ制御装置１０２とＶＣＯ１０４とイグニション設定要素１２８との間には、第２のスイッチ１３０が接続されている。このイグニション設定要素１２８は、周波数制御信号を、第１のＰＩ制御装置１０２に代えて、ＶＣＯ１０４に供給するように構成されている。加えて、第１のＰＩ制御装置１０２の入力は、第１のスイッチ１２６を適切に切り替えることで接地される。ＶＣＯ１０４の入力は、第２のスイッチ１３０を適切に切り替えることでイグニション設定要素１２８に接続される。
【００３３】
ＶＣＯ１０４の出力は、駆動信号Ｓｄｒ（すなわち、動作周波数信号）を供給するために、適当な駆動回路に接続されている。図３に関して説明されたように、フィードバック信号Ｓｆｂ（すなわち、実ランプ電力信号）が比較器１１８に供給される。
【００３４】
図７に示すように、放電ランプを点火するための適切に高い電圧が放電ランプに供給される。図７では、横軸には、動作周波数（ＭＨｚ）が示されている。縦軸には、結果的な出力電圧（ピーク電圧）が示されている。出力電圧は、ランプ端子間の電圧、すなわち、ランプ電圧である。適切な高電圧を発生させるには、比較的高い動作周波数（例えば、３ＭＨｚ（図７のＰ1））が始動周波数として選択され、その結果のランプ電圧が検出される。そして、ランプ電圧を表す信号が制御ユニットに供給される。検出されたランプ電圧が、所定のイグニション電圧Ｖignを下回る場合、イグニション設定要素１２８を介して、周波数が制御ユニットによって下げられる。ランプ駆動回路（放電ランプを含む）の共振に起因して、ランプ電圧は高くなり、これと共にランプ電圧がイグニション電圧Ｖign（図７のＰ2）と等しくなるまで、動作周波数が低下する。
【００３５】
イグニションの後には、第１のスイッチ１２６と第２のスイッチ１３０が切り替えられ、第１のＰＩ制御装置１０２が比較器１１８とＶＣＯ１０４との間に接続される。従って、定常状態の動作制御のために、図３に示した回路が確立される。
【００３６】
図８は、本発明の実施形態によるランプ駆動回路４００を示しており、図４及び図６に示したものと同様な回路を具備している。電圧供給源４０２は、商用交流などの交流電圧を供給する。ＥＭＩフィルタ回路４０４と整流回路４０６（例えば、ダイオードブリッジ整流回路）が、適したＤＣ電圧を発生させ、これがＤＣ／ＤＣ電圧コンバータ回路４０８に供給される。ＤＣ／ＤＣコンバータ回路４０８によるＤＣ／ＤＣコンバータ電圧ＶDCの出力は、スイッチング要素Ｓ１及びＳ２からなるハーフブリッジインバータ回路に供給される。インバータ回路は、とりわけ、インダクタＬ１と一緒に動作して、ランプＬａを動作させるのに適したランプ電流を発生させる。
【００３７】
実ランプ電力を表すハーフブリッジ電流Ｉhbは、図３に関連して説明したように、抵抗器Ｒ１を用いて検出され、結果としてランプ電圧ＶLaが検出され、例えば、イグニション段階中に使用される。さらに、ＤＣ／ＤＣコンバータ電圧ＶDCと、ＤＣ／ＤＣコンバータ回路４０８によって出力されるＤＣ／ＤＣコンバータ電流ＩDCを表す信号が検出される。結果としてランプ電圧ＶLaと、ＤＣ／ＤＣコンバータ電圧ＶDCと、対応するＤＣ／ＤＣコンバータ電流ＩDCが、適当にプログラムされたマイクロコントローラなどの制御ユニット４１２に供給される。制御ユニット４１２は、電力設定信号１１６ａを発生させる電力設定要素として動作する。電力設定信号１１６ａとハーフブリッジ電流Ｉhbは、フィードバック回路部分４１０に供給される（これは、例えば、図３に示した比較器１１８と第１のＰＩ制御装置１０２に従って、比較器とＰＩ制御装置とを備えている）。フィードバック回路部分４１０は、ＶＣＯ制御信号をＶＣＯ１０４に供給し、これが、インバータ駆動回路を制御する（インバータ駆動回路は、タイミング発生器１０６とスイッチング要素Ｓ１及びＳ２を駆動するためのインバータ駆動回路１０８とを備えている）。
【００３８】
制御ユニット４１２は、さらに、ＤＣ／ＤＣコンバータ回路４０８に接続され、必要ならば図４及び図５に関連して説明したように、ＤＣ／ＤＣコンバータ回路４０８を制御してＤＣ／ＤＣコンバータ電圧ＶDCを調整するために、ＤＣ電圧制御信号４１４を供給する。
【００３９】
ランプ駆動回路４００は、図６に関連して説明したように、放電ランプＬａを点火するのに適している。図６及び図８を参照すると、イグニション設定要素１２８の機能は、制御ユニット４１２に含まれ、第１のスイッチ１２６と第２のスイッチ１３０とは、フィードバック回路部分４１０に含まれる。従って、ランプＬａを点火するための動作の詳細な説明については、図６及び対応する説明を参照されたい。
【００４０】
ランプ駆動回路４００は、図４に関連して説明したように、高速フィードバック回路と低速フィードバック回路とを備えている。図４及び図８を参照すると、低速フィードバック回路２００は制御ユニット４１２に組み込まれる。高速フィードバック回路の要素については上述した。従って、ランプＬａを定常状態で動作させる詳細な説明については、図４と対応する説明とを参照されたい。
【００４１】
本発明の詳細な実施形態について、本願で開示したけれども、開示された実施形態は、本発明の単なる例示であり、本発明は様々な形態にて実施できることを理解されたい。従って、本願で開示された特定の構造及び機能の詳細は、制限として解釈されるべきでなく、単に特許請求の範囲のための基礎として、及び、事実上任意の適当な詳細な構造において本発明を様々に利用するように、当業者に教示するための代表的な基礎として理解される。さらに、ある種の手段が互いに異なる従属請求項に含まれているという単なる事実は、これらの手段の組合せを有利に使用できないことを意味しない。
【００４２】
さらに、本願に使用される用語及び句は、制限を意図せず、むしろ、発明を理解できる説明を提供することを意図している。本願で使用されている不定冠詞“ａ”又は“ａｎ”は、１以上であることを定めている。本願で使用されている“別の”の用語は、少なくとも第２の又はそれ以上のものを定めている。本願で使用されている“具備し”及び／又は“有し”の用語は、備えることを定めている（すなわち、オープンランゲージ）。本願で使用されている“接続され”の用語は、結合されることを定め、必ずしも直接ではなく、また、必ずしも配線に依らない。
【符号の説明】
【００４３】
１００    ランプ駆動回路
１００    高速フィードバック回路
１０２    第１のＰＩ制御装置
１０６    タイミング発生器
１０８    インバータ駆動回路
１０４    電圧制御発振器（ＶＣＯ）
１１０    レベルシフタ
１１４    ローパスフィルタ回路
１１６    電力設定要素
１１６ａ  電力設定信号
１１８    比較器
１２０    ランプ駆動回路要素
１２８    イグニション設定要素
２０２    周波数設定要素
２０４    比較器
２０６    第２のＰＩ制御装置
２０８    ＤＣ供給電圧発生器
４００    ランプ駆動回路
４０２    電圧供給源
４０４    ＥＭＩフィルタ回路
４０６    整流回路
４０８    ＤＣ／ＤＣ電圧コンバータ回路
４１０    フィードバック回路部分
４１２    制御ユニット
４１４    ＤＣ電圧制御信号
Ｌａ      放電ランプ
Ｒ１      抵抗器
Ｓ１，Ｓ２  スイッチング要素
Ｓｄｒ    駆動信号
Ｓｆｂ    フィードバック信号
ＶLa      ランプ電圧
【図１】
2010503171.tif 000003
【図２Ａ】
2010503171.tif 000004
【図２Ｂ】
2010503171.tif 000005
【図３】
2010503171.tif 000006
【図４】
2010503171.tif 000007
【図５】
2010503171.tif 000008
【図６】
2010503171.tif 000009
【図７】
2010503171.tif 000010
【図８】
2010503171.tif 000011
【国際調査報告】
2010503171.tif 000012
2010503171.tif 000013
2010503171.tif 000014